(57)【要約】【課題】大量の鉄粉被覆種子を手間及び時間面で有利に得ることができる鉄粉被覆種子酸化装置を提供する。【解決手段】種子収容空間２に上下複数段に配備され、鉄粉被覆処理済みの種子を薄く広げて載置して収容させる複数の棚部７を備えている。種子収容空間２を包囲するカバー部３を備えている。種子収容空間２のうちの最下段の棚部７よりも下方に位置する部位に配備され、種子収容空間２に水蒸気を供給する水蒸気発生装置１０を備えている。【選択図】図２
2014135933.tif 000002
【特許請求の範囲】
【請求項１】
鉄粉被覆処理済みの種子を収容する種子収容空間と、
前記種子収容空間に上下複数段に配備され、鉄粉被覆処理済みの種子を薄く広げて載置して収容させる複数の棚部と、
前記種子収容空間を包囲するカバー部と、
前記種子収容空間のうちの最下段の前記棚部よりも下方に位置する部位に配備され、前記種子収容空間に水蒸気を供給する水蒸気発生装置と、を備えた鉄粉被覆種子酸化装置。
【請求項２】
前記種子収容空間の内気を前記カバー部の外部に排出する換気扇を備えてある請求項１に記載の鉄粉被覆種子酸化装置。
【請求項３】
前記換気扇を、前記種子収容空間のうちの最上段の前記棚部よりも上方に位置する部位に配備してある請求項２に記載の鉄粉被覆種子酸化装置。
【請求項４】
前記水蒸気発生装置を、水蒸気を噴出する加湿運転と温風を噴出する乾燥運転とに切り換え自在に構成してある請求項１〜３のいずれか一項に記載の鉄粉被覆種子酸化装置。
【請求項５】
前記種子収容空間の内気を前記カバー部の外部に排出する換気扇を備え、
前記水蒸気発生装置が前記加湿運転を行なうよう前記水蒸気発生装置を制御する酸化モードと、前記水蒸気発生装置が前記乾燥運転を行なうよう前記水蒸気発生装置を制御する乾燥モードとに切り換え自在な制御手段を備え、
前記制御手段を、前記乾燥モードにおいて、前記換気扇が運転するように前記換気扇をオン制御するよう構成してある請求項４に記載の鉄粉被覆種子酸化装置。
【請求項６】
前記水蒸気発生装置が前記加湿運転を行なうよう前記水蒸気発生装置を制御する酸化モードと、前記水蒸気発生装置が前記乾燥運転を行なうよう前記水蒸気発生装置を制御する乾燥モードとに切り換え自在な制御手段を備え、
前記制御手段を、前記水蒸気発生装置が前記加湿運転を開始してから設定酸化時間が経過すると、前記酸化モードから前記乾燥モードに自動的に切り換わるように構成してある請求項４又は５に記載の鉄粉被覆種子酸化装置。
【請求項７】
前記設定酸化時間を変更自在に設定する酸化時間設定手段を備えてある請求項６に記載の鉄粉被覆種子酸化装置。
【請求項８】
前記制御手段を、前記乾燥モードにおいて、前記水蒸気発生装置が前記乾燥運転を開始してから設定乾燥時間が経過すると、前記水蒸気発生装置を自動的にオフ制御するように構成してある請求項５〜７のいずれか一項に記載の鉄粉被覆種子酸化装置。
【請求項９】
前記設定乾燥時間を変更自在に設定する乾燥時間設定手段を備えてある請求項８に記載の鉄粉被覆種子酸化装置。
【請求項１０】
前記複数の棚部それぞれの底板部に前記水蒸気が通り抜ける通気孔を設けてある請求項１〜９のいずれか一項に記載の鉄粉被覆種子酸化装置。
【請求項１１】
前記カバー部に開閉自在な換気口を設けてある請求項１〜１０のいずれか一項に記載の鉄粉被覆種子酸化装置。
【請求項１２】
前記換気口を、前記カバー部のうちの下端寄りの部位及び上端寄りの部位に配置してある請求項１１に記載の鉄粉被覆種子酸化装置。
【発明の詳細な説明】
【技術分野】
【０００１】
本発明は、鉄粉被覆種子の製造に使用する鉄粉被覆種子酸化装置に関する。
【背景技術】
【０００２】
鉄粉によって被覆することにより、水中で浮かないように比重を高めると共に鳥害を受け難くする稲種子が開発されている。例えば特許文献１に示されるように、種子を入れたドラム容器を回転させて種子を攪拌しながら、種子にコーティング剤を付着させるように構成され、大量の種子を被覆処理することが可能な種子コーティング装置が開発されている。
【先行技術文献】
【特許文献】
【０００３】
【特許文献１】特開２０１２−２１７４０９号公報
【発明の概要】
【発明が解決しようとする課題】
【０００４】
鉄粉被覆種子を得るには、鉄粉によって被覆する鉄粉被覆処理を終えた後、種子の表面に付着している鉄粉層の鉄粉を酸化させることによって固化させる酸化処理を行う。鉄粉被覆処理に種子コーティング装置を使用しても、鉄粉被覆処理が済んだ種子に水を人為作業によって噴霧するなど、鉄粉を酸化させる酸化処理を人為作業によって行えば、大量の鉄粉被覆種子を得るのに、多大の手間及び時間が掛る。
【０００５】
本発明の目的は、鉄粉被覆種子を大量に得る場合であっても、手間及び時間面で有利に得ることができる鉄粉被覆種子酸化装置を提供することにある。
【課題を解決するための手段】
【０００６】
本発明による鉄粉被覆種子酸化装置は、
鉄粉被覆処理済みの種子を収容する種子収容空間と、
前記種子収容空間に上下複数段に配備され、鉄粉被覆処理済みの種子を薄く広げて載置して収容させる複数の棚部と、
前記種子収容空間を包囲するカバー部と、
前記種子収容空間のうちの最下段の前記棚部よりも下方に位置する部位に配備され、前記種子収容空間に水蒸気を供給する水蒸気発生装置と、を備えることを特徴とする。
【０００７】
本構成によると、鉄粉被覆処理が済んだ種子を上下複数段の棚部に分散させて、かつ各棚部に種子を薄く拡げて載置することによって、種子を種子収容空間に収容するものだから、種子収容空間に収容する種子の全量に比して狭い設置面積の箇所に鉄粉被覆種子酸化装置を設置することができ、かつ種子収容空間に収容する種子の全てに水蒸気が届き易い状態で種子を収容することができる。種子収容空間のうちの最下段の棚部よりも下方の部位から水蒸気発生装置によって水蒸気が供給され、水蒸気発生装置からの水蒸気が最下段の棚部の下方から最上段の棚部に向かって上昇すると共に、種子収容空間がカバー部によって包囲されて、水蒸気が種子収容空間の外部に漏れ出難いことにより、収容した全ての種子に水蒸気が届き易い。
【０００８】
従って、鉄粉被覆処理済みの種子を多量に収容しても、水蒸気発生装置を運転させるだけで、全ての鉄粉被覆種子に供給漏れが無いとかあまり無い状態で水蒸気を供給して、かつ鉄粉の酸化を水蒸気によって促進させながら、種子を被覆している鉄粉を酸化させることができる。
【０００９】
従って、本発明によると、多量の鉄粉被覆種子を得る場合でも、水蒸気発生装置を運転させるだけで操作簡単に鉄粉の酸化処理を迅速に行なわせて安価に得ることができる。
また、鉄粉被覆種子酸化装置を収容可能な種子量に比して狭い設置面積の箇所にコンパクトに設置することができる。
【００１０】
本発明において、前記種子収容空間の内気を前記カバー部の外部に排出する換気扇を備えると好適である。
【００１１】
本構成によると、鉄粉の酸化による発熱によって種子収容空間に発生する熱気を換気扇による排出作用によってカバー部の外部に排出させることができ、種子収容空間に熱気が滞留し難い。
【００１２】
従って、本発明によると、鉄粉の酸化を水蒸気によって促進させることで熱気が発生し易いものでありながら、種子収容空間に熱気が滞留し難く、種子が酸化処理によって備える熱の放出を促進できる。
【００１３】
本発明において、前記換気扇を、前記種子収容空間のうちの最上段の前記棚部よりも上方に位置する部位に配備すると好適である。
【００１４】
本構成によると、上下複数段のいずれの段の棚部において熱気が発生しても、発生箇所よりも上方の部位で換気扇が作用することにより、換気扇によるカバー部外への熱気排出をスムーズに行わせることができる。
【００１５】
従って、本発明によると、種子収容空間に熱気がより滞留し難くて種子の放熱をより促進できる。
【００１６】
本発明において、前記水蒸気発生装置を、水蒸気を噴出する加湿運転と温風を噴出する乾燥運転とに切り換え自在に構成すると好適である。
【００１７】
本構成によると、鉄粉被覆種子の酸化処理を終えると、酸化処理後の鉄粉被覆種子を棚部に載置したままにして、水蒸気発生装置を加湿運転から乾燥運転に切換えることにより、水蒸気発生装置が温風を噴出し、この温風を鉄粉被覆種子にあてて鉄粉被覆種子の乾燥処理を行うことができる。
【００１８】
従って、本発明によると、鉄粉被覆種子が酸化処理前の浸種処理や酸化処理によって備えた水分及び熱を除去する乾燥処理を行うのに、酸化処理後の鉄粉被覆種子を棚部に収容したままにして楽に、かつ水蒸気発生装置を乾燥手段に活用して構造簡単にできる。
【００１９】
本発明において、前記種子収容空間の内気を前記カバー部の外部に排出する換気扇を備え、前記水蒸気発生装置が前記加湿運転を行なうよう前記水蒸気発生装置を制御する酸化モードと、前記水蒸気発生装置が前記乾燥運転を行なうよう前記水蒸気発生装置を制御する乾燥モードとに切り換え自在な制御手段を備え、前記制御手段を、前記乾燥モードにおいて、前記換気扇が運転するように前記換気扇をオン制御するよう構成すると好適である。
【００２０】
本構成によると、乾燥モードの制御手段による制御によって水蒸気発生装置が乾燥運転を行ない、水蒸気発生装置が噴出する風によって酸化処理後の鉄粉被覆種子を乾燥処理する。このとき、制御手段が換気扇をオン制御し、換気扇が自ずと作用して種子収容空間の内気をカバー部の外部にスムーズに排出することにより、鉄粉被覆種子の乾燥処理のために温度や湿度が上昇する種子収容空間の内気をカバー部外にスムーズに排出させて、鉄粉被覆種子の乾燥を促進させることができる。
【００２１】
従って、本発明によると、酸化処理後の鉄粉被覆種子を乾燥処理するのに、水蒸気発生装置を乾燥手段に活用して有利にできるのみならず、換気扇が自ずと作用して楽に、かつ換気扇の強制換気による乾燥促進によって迅速にできる。
【００２２】
本発明において、前記水蒸気発生装置が前記加湿運転を行なうよう前記水蒸気発生装置を制御する酸化モードと、前記水蒸気発生装置が前記乾燥運転を行なうよう前記水蒸気発生装置を制御する乾燥モードとに切り換え自在な制御手段を備え、前記制御手段を、前記水蒸気発生装置が前記加湿運転を開始してから設定酸化時間が経過すると、前記酸化モードから前記乾燥モードに自動的に切り換わるように構成すると好適である。
【００２３】
本構成によると、設定酸化時間を適切に設定しておけば、酸化モードの制御手段による制御により、水蒸気発生装置が加湿運転を行なって鉄粉被覆種子の酸化処理を行わせ、酸化処理を終えると、制御手段が自動的に乾燥モードに切り換わり、乾燥モードに切り換わった制御手段による制御により、水蒸気発生装置が乾燥運転を行なって風を発生させ、酸化処理後の鉄粉被覆種子の乾燥処理を行わせることができる。
【００２４】
従って、本発明によると、酸化処理後の鉄粉被覆種子を乾燥処理するのに、水蒸気発生装置を乾燥手段に活用して有利にできるのみならず、酸化処理から乾燥処理への切り換えを適切なタイミングで自動的に行なわせて楽にできる。
【００２５】
本発明において、前記設定酸化時間を変更自在に設定する酸化時間設定手段を備えると好適である。
【００２６】
本構成によると、鉄粉被覆種子の鉄粉量が異なるなど、酸化処理をさせるべく種子収容空間に収容する鉄粉被覆種子の性状が異なるとか、種子収容空間に収容する鉄粉被覆種子の収容量を変更するなどの場合でも、設定酸化時間を適切に変更して設定することにより、酸化不足や過剰酸化が無い適切な酸化処理を行わせた後に、制御手段が乾燥モードに自動的に切り換わるようにできる。
【００２７】
従って、本発明によると、酸化処理後の鉄粉被覆種子を乾燥処理するのに、水蒸気発生装置を乾燥手段に活用して有利にでき、かつ酸化処理から乾燥処理への切り換えを自動的に行なわせて楽にできるものでありながら、鉄粉被覆種子の性状や収容量の変化や変更にかかわらず、過不足が無い適切な酸化処理を行わせることができる。
【００２８】
本発明において、前記制御手段を、前記乾燥モードにおいて、前記水蒸気発生装置が前記乾燥運転を開始してから設定乾燥時間が経過すると、前記水蒸気発生装置を自動的にオフ制御するように構成すると好適である。
【００２９】
本構成によると、設定乾燥時間を適切に設定しておけば、乾燥モードの制御手段による制御により、水蒸気発生装置が乾燥運転を行なって酸化処理済みの鉄粉被覆種子の乾燥処理を行わせ、乾燥処理を終えると、制御手段が自動的に水蒸気発生装置を停止させて水蒸気発生装置による風発生が停止する。
【００３０】
従って、本発明によると、酸化処理後の鉄粉被覆種子を乾燥処理するのに、水蒸気発生装置が発生させる風によって迅速にできるものでありながら、風発生の停止を適切なタイミングで行なわせて風の過剰供給を回避できる。
【００３１】
本発明において、前記設定乾燥時間を変更自在に設定する乾燥時間設定手段を備えると好適である。
【００３２】
本構成によると、粉被覆種子の性状が異なるとか、収容量を変更するなどの場合でも、設定乾燥時間を適切に設定することにより、乾燥不足や過剰乾燥が無い適切な乾燥処理を行わせた後に、制御手段が水蒸気発生装置を自動的に停止させて水蒸気発生装置による風発生が停止する。
【００３３】
従って、本発明によると、酸化処理後の鉄粉被覆種子を乾燥処理するのに、水蒸気発生装置を乾燥手段に活用して有利にでき、かつ風噴出の停止を自動的に行なわせて楽にできるものでありながら、鉄粉被覆種子の性状や収容量の変化や変更にかかわらず、過不足が無い適切な乾燥処理を行わせることができる。
【００３４】
本発明において、前記複数の棚部それぞれの底板部に前記水蒸気が通り抜ける通気孔を設けると好適である。
【００３５】
本構成によると、最下段の棚部よりも下方に位置する部位において水蒸気発生装置から噴出する水蒸気を最下段の棚部から最上段の棚部に向けて各棚部における通気孔を通り抜けて流動させることができる。
【００３６】
従って、本発明によると、上下複数段の棚部に位置する鉄粉被覆種子に水蒸気を漏れ無く供給して、種子収容空間に収容した全ての鉄粉被覆種子を漏れなく迅速に酸化処理することができる。
【００３７】
本発明において、前記カバー部に開閉自在な換気口を設けると好適である。
【００３８】
本構成によると、換気口を開けることにより、種子収容空間に発生した熱気が換気口から外部に容易に流出して種子収容空間に熱気が滞留し難くなり、鉄粉被覆種子に酸化処理によって発生する熱を放出させ易い。
【００３９】
従って、本発明によると、鉄粉被覆種子の酸化処理による温度上昇を回避し易い。
【００４０】
本発明において、前記換気口を、前記カバー部のうちの下端寄りの部位及び上端寄りの部位に配置すると好適である。
【００４１】
本構成によると、種子収容空間の内気がカバー部の上端寄りの換気口から外部に流出し、カバー部の外気がカバー部の下端寄りの換気口から種子収容空間に流入するように換気させて種子収容空間の熱気滞留をより発生し難くでき、鉄粉被覆種子がより放熱し易くなる。
【００４２】
従って、本発明によると、鉄粉被覆種子の酸化処理による温度上昇をより回避し易い。
【図面の簡単な説明】
【００４３】
【図１】鉄粉被覆種子酸化装置の全体を示す斜視図である。
【図２】鉄粉被覆種子酸化装置の全体を示す斜視図である。
【図３】鉄粉被覆種子酸化装置の右端部を示す縦断正面図である。
【図４】鉄粉被覆種子酸装置を示す横断平面図である。
【図５】育苗箱を示す斜視図である。
【図６】制御系を示すブロック図である。
【図７】種子製造制御を示すフロー図である。
【図８】酸化制御を示すフロー図である。
【図９】乾燥制御を示すフロー図である。
【図１０】換気制御を示すフロー図である。
【発明を実施するための形態】
【００４４】
以下、本発明の実施の形態を図面に基づいて説明する。
図１は、本発明の実施例に係る鉄粉被覆種子酸化装置の全体を示す斜視図である。図２は、本発明の実施例に係る鉄粉被覆種子酸化装置の全体を示す斜視図である。図３は、本発明の実施例に係る鉄粉被覆種子酸化装置の右端部を示す縦断正面図である。図４は、本発明の実施例に係る鉄粉被覆種子酸装置を示す横断平面図である。図１〜４に示すように、本発明の実施例に係る鉄粉被覆種子酸化装置は、左右一対の正面視で縦長の種子収容空間２，２及び左右一対の種子収容空間２，２を一挙に包囲するカバー部３を有した装置本体１と、スタンドポール２１及びスタンドポール２１によって支持される制御ボックス２２を有した運転操作部２０とを備えている。
【００４５】
この鉄粉被覆種子酸化装置は、水稲用の鉄粉被覆種子を製造するものであり、詳しくは、次の如く構成してある。
【００４６】
装置本体１は、装置本体横方向に所定間隔を隔てて並ぶ３つの縦棚枠４と、３つの縦棚枠４の上端部を装置本体前後方向での複数箇所で連結する複数本の上横連結フレーム５と、３つの縦棚枠４の下端部を装置本体前後方向での複数箇所で連結する複数本の下横連結フレーム６とを備えて構成された本体枠を備えている。
【００４７】
左右一対の種子収容空間２，２は、前記本体枠によって形成されている。左右一対の種子収容空間２，２の間に中央の縦棚枠４が位置しているが、縦棚枠４は、上下複数段に設けられた棚板４ａ、及び棚板４ａどうしの間に縦棚枠４を装置本体横方向に貫通する状態で設けられた隙間を備えており、左右一対の種子収容空間２，２は、棚板４ａどうしの間の隙間によって連通している。従って、左右一対の種子収容空間２，２は、一方の種子収容空間２から他方の種子収容空間２に後述する水蒸気及び温風が流動する状態で連通している。
【００４８】
左右一対の種子収容空間２，２に上下複数段の棚部７を配備してある。上下複数段の棚部７どうしの間に水蒸気及び温風が流動するように所定間隔を設けてある。左右一対の種子収容空間２，２における上下複数段の棚部７のそれぞれは、中央の縦棚枠４に上下複数段に設けられた棚板４ａのうちの一つの棚板４ａと、横端の縦棚枠４に上下複数段に設けられた棚板４ａのうちの一つの棚板４ａとにわたって脱着自在に載置された図２，５の如き育苗箱によって構成してある。一つの棚板４ａには、複数の育苗箱を装置本体前後方向に並べて載置できる。
【００４９】
従って、左右一対の種子収容空間２，２における各棚部７は、種子収容空間２に脱着自在に収容される。図２，３に示すように、左右一対の種子収容空間２，２における各棚部７は、底板部７ａと底板部７ａの全周縁部から立ち上がる周壁部７ｂとを備えたトレー状に成っており、鉄粉被覆処理が済んだ種子Ａ（以下、鉄粉被覆種子Ａと称する。）を底板部７ａに装置本体横方向及び前後方向に薄く広げ載置した状態で収容するようになっている。左右一対の種子収容空間２，２における各棚部７は、育苗箱の底板部に設けられた貫通孔を、水蒸気及び乾燥風が通り抜けるように底板部７ａに設けた通気孔７ｃとして備えている。通気孔７ｃは、装置本体１の横方向及び前後方向に並んでいる。
【００５０】
装置本体１は、左の種子収容空間２の下部と右の種子収容空間２の下部とにわたって設けた水蒸気発生装置１０、左及び右の種子収容空間２のうちの水蒸気発生装置１０の上方近くに設けた熱拡散板１１、及び左の種子収容空間２の上部と右の種子収容空間２の上部とに分散させて設けた左右一対の換気扇１２，１２を備えている。
【００５１】
水蒸気発生装置１０は、左の種子収容空間２のうちの最下段の棚部７よりも下方に位置する部位と、右の種子収容空間２のうちの最下段の棚部７よりも下方に位置する部位とにわたって配備してある。図６に示すように、水蒸気発生装置１０は、ヒータ部１０ａと加湿部１０ｂと送風部１０ｃとを備えている。
【００５２】
水蒸気発生装置１０は、加湿運転と乾燥運転とに切り換え自在に構成してある。水蒸気発生装置１０は、加湿運転するように運転制御されることにより、加湿部１０ｂ及びヒータ部１０ａを作動させると共に送風部１０ｃを駆動し、加湿部１０ｂ及びヒータ部１０ａによって鉄粉被覆種子Ａの鉄粉層を酸化させるための水蒸気を発生させ、発生した水蒸気を、送風部１０ｃからの風によって左右一対の種子収容空間２，２に下部から上部に向けて供給する。
【００５３】
水蒸気発生装置１０は、乾燥運転するように運転制御されることにより、ヒータ部１０ａを作動させると共に送風部１０ｃを駆動し、酸化処理後の鉄粉被覆種子Ａを乾燥させるための温風を発生させると共に発生した温風を左右一対の種子収容空間２，２に下部から上部に向けて供給する。
【００５４】
左及び右の種子収容空間２における熱拡散板１１は、種子収容空間２のうちの最下段の棚部７よりも下方に位置する部位に配備してある。熱拡散板１１は、水蒸気発生装置１０からの放熱によって熱拡散板１１の全体を昇温させて、水蒸気発生装置１０からの放熱を熱拡散板１１の全体からの放熱に変更し、水蒸気発生装置１０からの放熱が種子収容空間２の狭い範囲に集中して伝わり、種子収容空間２に収容された鉄粉被覆種子Ａに酸化ムラや乾燥ムラが発生すること防止する。図４に示すように、熱拡散板１１の装置本体前側端とカバー部３のうちの前カバー部３ａとの間に、水蒸気発生装置１０からの水蒸気及び乾燥風を種子収容空間２における棚部７に上昇させる通路としての前隙間１１ｆを設けてある。熱拡散板１１の装置本体後側端とカバー部３のうちの後カバー部３ｂとの間に、水蒸気発生装置１０からの水蒸気及び乾燥風を種子収容空間２における棚部７に上昇させる通路としての後隙間１１ｒを設けてある。
【００５５】
カバー部３は、左右一対の種子収容空間２，２を包囲することにより、水蒸気発生装置１０からの水蒸気及び温風の種子収容空間外への漏れ出しを防止する。
【００５６】
カバー部３は、本体枠を全体にわたって被覆する大きさを備え、左右一対の種子収容空間２，２を一挙に包囲するように構成してある。具体的には、カバー部３は、本体枠の前側を覆う樹脂シート製の前カバー部３ａと、本体枠の後側を覆う樹脂シート製の後カバー部３ｂと、本体枠の両横側を覆う樹脂シート製の左右一対の横カバー部３ｃ，３ｃと、本体枠の上方を覆う樹脂シート製の上カバー部３ｄとを連結された状態で備えている。
【００５７】
前カバー部３ａと左右の横カバー部３ｃとは分離しており、図２の如く前カバー部３ａをたくし上げることにより、左右一対の種子収容空間２，２の前側を開放することができる。従って、前カバー部３ａは、種子収容空間２の種子出し入れ口を開閉するドアになっている。
【００５８】
図１，２に示すように、上カバー部３ｄは、装置本体横方向視での形状が装置本体上方向きに突のアーチ形状となるように構成してある。従って、上カバー部３ｄの内面側に発生した結露水は、上カバー部３ｄの湾曲内面に沿って流下して種子収容空間２のうちの装置本体前端寄り及び装置本体後端寄りの部位に落下し、棚部７に落下して鉄粉被覆種子Ａを濡らすことがない。
【００５９】
図１，２，３に示すように、右の横カバー部３ｃのうちの上端寄りの部位に換気口１３を設けてある。右側の上端寄りの換気口１３は、右の換気扇１２に設けた排気筒によって構成してある。右側の上端寄りの換気口１３は、排気筒の内部に揺動開閉自在に設けた蓋体１４によって開閉できるように構成してある。
【００６０】
左の横カバー部３ｃに設けた換気口１３の図示は省略するが、右の横カバー部３ｃに設けた換気口１３及び蓋体１４と同じ構成を備えた換気口１３及び蓋体１４を、左の横カバー部３ｃに設けてある。
【００６１】
図１，２，３に示すように、前カバー部３ａ、後カバー部３ｂ及び左右の横カバー部３ｃの下端寄りの部位に開閉自在な換気口１５を設けてある。具体的には、前カバー部３ａ、後カバー部３ｂ及び横カバー部３ｃそれぞれの下端部を、前カバー部３ａ、後カバー部３ｂ及び横カバー部３ｃの上側部分を構成する樹脂シートの下端部分で成る外側カバー部３ｅと、この外側カバー部３ｅの内側に配備した内側カバー部３ｆとで成る二重構造に構成し、内側カバー部３ｆを網目状の通気孔が備えられた部材によって構成してあることにより、内側カバー部３ｆが換気口１５に成っている。前カバー部３ａ、後カバー部３ｂ及び左右の横カバー部３ｃそれぞれの下端寄りの換気口１５は、外側カバー部３ｅをたくし上げることによって開くことができ、外側カバー部３ｅを垂れ下げることによって閉じることができる。
【００６２】
図２，３に示すように、右の換気扇１２は、右の種子収容空間２のうちの最上段の棚部７よりも上方に位置する部位に配備してある。右の換気扇１２は、右端の縦棚枠４の上部に支持されている。左の換気扇１２は、右の換気扇１２と同様に、左の種子収容空間２のうちの最上段の棚部７よりも上方に位置する部位に配備してある。左の換気扇１２は、左端の縦棚枠４の上部に支持されている。
【００６３】
従って、左右の換気扇１２は、運転制御されることにより、種子収容空間２の内気を上端寄りの換気口１３からカバー部３の外部に排出する。換気扇１２による内気排出に伴い、カバー部３の外気が下端寄りの換気口１５から種子収容空間２に流入する。
【００６４】
運転操作部２０は、水蒸気発生装置１０及び左右の換気扇１２に連係され、かつ制御ボックス２２に内装された制御装置２３（図６参照）を備えている。
【００６５】
図６は、制御系を示すブロック図である。図６に示すように、制御装置２３は、マイクロコンピュータを利用して構成してあり、制御手段２５、酸化時間記憶部２６、乾燥時間記憶部２７、換気時間記憶部２８、酸化温度記憶部２９、乾燥温度記憶部３０及び換気温度記憶部３１を備えている。制御装置２３に、作業選択器３２、スタート指令手段３３、時間設定器３４及び温度設定器３５を連係させてある。
【００６６】
従って、鉄粉被覆種子Ａを載置した育苗箱を種子収容空間２に収容することによって、鉄粉被覆種子Ａを上下複数段の棚部７に分散させた状態で種子収容空間２に収容し、前カバー部３ａを閉じてスタート指令手段３３を操作することにより、制御手段２５が水蒸気発生装置１０及び左右の換気扇１２を自動的に運転制御し、鉄粉被覆種子Ａの鉄粉層を酸化させる酸化処理、及び酸化処理を終えた鉄粉被覆種子Ａの乾燥処理を行えるようになっており、詳しくは、次の如く構成してある。
【００６７】
時間設定器３４を操作し、鉄粉被覆種子Ａの鉄粉量などの性状、及び種子収容空間２に収容する鉄粉被覆種子Ａの量に適応した設定酸化時間ＴＳ、設定乾燥時間ＴＫ及び設定換気時間ＴＡを設定し、設定酸化時間ＴＳを酸化時間記憶部２６に記憶させ、設定乾燥時間ＴＫを乾燥時間記憶部２７に記憶させ、設定換気時間ＴＡを換気時間記憶部２８に記憶させる。
【００６８】
設定酸化時間ＴＳを設定する場合、設定モード切換え手段３６の操作によって酸化時間設定モードを選択しておいて時間設定器３４を操作する。設定乾燥時間ＴＫを設定する場合、設定モード切換え手段３６の操作によって乾燥時間設定モードを選択しておいて時間設定器３４を操作する。設定換気時間ＴＡを設定する場合、設定モード切換え手段３６の操作によって換気時間設定モードを選択しておいて時間設定器３４を操作する。酸化時間記憶部２６、乾燥時間記憶部２７及び換気時間記憶部２８は、時間設定器３４の操作によって新たな設定酸化時間ＴＳ、設定乾燥時間ＴＫ及び設定換気時間ＴＡが設定されると、先に記憶していた旧の設定酸化時間ＴＳ、設定乾燥時間ＴＫ及び設定換気時間ＴＡを新たな設定酸化時間ＴＳ、設定乾燥時間ＴＫ及び設定換気時間ＴＡに更新する。従って、時間設定器３４と酸化時間記憶部２６とにより、設定酸化時間ＴＳを変更自在に設定する酸化時間設定手段３７が構成され、時間設定器３４と乾燥時間記憶部２７とにより、設定乾燥時間ＴＫを変更自在に設定する乾燥時間設定手段３８が構成され、時間設定器３４と換気時間記憶部２８とにより、設定換気時間ＴＡを変更自在に設定する換気時間設定手段３９が構成される。
【００６９】
温度設定器３５を操作し、鉄粉被覆種子Ａの鉄粉量などの性状、及び種子収容空間２に収容する鉄粉被覆種子Ａの量に適応した設定酸化温度ＳＳ、設定乾燥温度ＳＫ及び設定換気温度ＳＡを設定し、設定酸化温度ＳＳを酸化温度記憶部２９に記憶させ、設定乾燥温度ＳＫを乾燥温度記憶部３０に記憶させ、設定換気温度ＳＡを換気温度記憶部３１に記憶させる。
【００７０】
設定酸化温度ＳＳを設定する場合、設定モード切換え手段３６の操作によって酸化温度設定モードを選択しておいて温度設定器３５を操作する。設定乾燥温度ＳＫを設定する場合、設定モード切換え手段３６の操作によって乾燥温度設定モードを選択しておいて温度設定器３５を操作する。設定換気温度ＳＡを設定する場合、設定モード切換え手段３６の操作によって換気温度設定モードを選択しておいて温度設定器３５を操作する。酸化温度記憶部２９、乾燥温度記憶部３０及び換気温度記憶部３１は、温度設定器３５の操作によって新たな設定酸化温度ＳＳ、設定乾燥温度ＳＫ及び設定換気温度ＳＡが設定されると、先に記憶していた旧の設定酸化温度ＳＳ、設定乾燥温度ＳＫ及び設定換気温度ＳＡを新たな設定酸化温度ＳＳ、設定乾燥温度ＳＫ及び設定換気温度ＳＡに更新する。
【００７１】
従って、温度設定器３５と酸化温度記憶部２９とにより、設定酸化温度ＳＳを変更自在に設定する酸化時間設定手段４０が構成され、温度設定器３５と乾燥温度記憶部３０とにより、設定乾燥温度ＳＫを変更自在に設定する乾燥温度設定手段４１が構成され、温度設定器３５と換気温度記憶部３１とにより、設定換気温度ＳＡを変更自在に設定する換気温度設定手段４２が構成される。
【００７２】
作業選択器３２は、種子製造位置Ｘと発芽位置Ｙとに切り換え操作自在に構成されている。作業選択器３２は、種子製造位置Ｘに切り換えられると、酸化処理及び乾燥処理のための制御を行わせる種子製造指令を制御手段２５に出力する。作業選択器３２は、発芽位置Ｙに切り換えられると、発芽処理のための制御を行なわせる発芽指令を制御手段２５に出力する。
【００７３】
図７は種子製造制御を示すフロー図である。図７に示すように、作業選択器３２を種子製造位置Ｘに切り換え操作し、スタート指令手段３３を操作すると、制御手段２５は、作業選択器３２からの種子製造指令及びスタート指令手段３３からの制御開始指令を基に酸化モードに切り換わり、酸化制御及び換気扇制御を行なう。制御手段２５は、酸化時間記憶部２６に記憶された設定酸化時間ＴＳを基に酸化処理を終えたと判断すると、自動的に乾燥モードに切り換わり、乾燥制御及び換気制御を行なう。
【００７４】
図８は、酸化モードにおける制御手段２５の酸化制御を示すフロー図である。図８に示すように、制御手段２５は、酸化モードに切り換わると、水蒸気発生装置１０を加湿運転するように制御する。このとき、制御手段２５は、種子収容空間２に設置した温度センサ４３（図６参照）による検出温度を酸化温度として検出し、検出酸化温度が酸化温度記憶部２９によって記憶された設定酸化温度ＳＳになるように、水蒸気発生装置１０を加湿運転させる。さらに、制御手段２５は、後述する換気制御を行なう。制御手段２５は、水蒸気発生装置１０が加湿運転を開始してからの経過時間を酸化時間として計測し、計測酸化時間ＴＳ１が酸化時間記憶部２６によって記憶された設定酸化時間ＴＳに達すると、水蒸気発生装置１０をオフ制御する。
【００７５】
図９は、乾燥モードにおける制御手段２５の乾燥制御を示すフロー図である。図９に示すように、制御手段２５は、乾燥モードに切り換わると、水蒸気発生装置１０を乾燥運転するように制御する。このとき、制御手段２５は、温度センサ４３（図６参照）による検出温度を乾燥温度として検出し、検出乾燥温度が乾燥温度記憶部３０によって記憶された設定乾燥温度ＳＫになるように、水蒸気発生装置１０を乾燥運転させる。さらに、制御手段２５は、後述する換気制御を行なう。制御手段２５は、水蒸気発生装置１０が乾燥運転を開始してからの経過時間を乾燥時間として計測し、計測乾燥時間ＴＫ１が乾燥時間記憶部２７によって記憶された設定乾燥時間ＴＫに達すると、水蒸気発生装置１０をオフ制御する。
【００７６】
図１０は、制御手段２５が加湿モード及び乾燥モードにおいて行う換気制御を示すフロー図である。図１０に示すように、加湿モード及び乾燥モードになった制御手段２５は、温度センサ４３（図６参照）による検出温度ＳＡ１が換気温度記憶部３１によって記憶された設定換気温度ＳＡ以上になると、左右の換気扇１２をオン制御する。制御手段２５は、換気扇１２をオンにしてからの経過時間を換気時間として計測し、計測換気時間ＴＡ１が設定換気時間ＴＡに達すると、換気扇１２をオフ制御する。
【００７７】
制御手段２５は、作業選択器３２から発芽指令を受けると、水蒸気発生装置１０を加湿運転するように制御する。すなわち、酸化処理及び乾燥処理を終えた鉄粉被覆種子Ａに水蒸気を供給し、鉄粉被覆種子Ａの発芽試験を行なうことができる。
【００７８】
〔別実施例〕
（１）上記した実施例では、送風部１０ｃを備えた水蒸気発生装置１０を設けた例を示したが、送風部１０ｃを備えずにヒータ部１０ａ及び加湿部１０ｂを備えた水蒸気発生装置１０を採用して実施してもよい。この場合、換気扇１２による換気によって水蒸気及び温風を種子収容空間２において流動させる。
【００７９】
（２）上記した実施例では、乾燥処理の際、水蒸気発生装置１０を乾燥運転して水蒸気発生装置１０に温風を発生させるよう構成した例を示したが、水蒸気発生装置１０を運転せず、換気扇１２を運転し、換気扇１２による換気によって発生させる乾燥風によって乾燥処理を行うよう構成して実施してもよい。
【００８０】
（３）上記した実施例では、左右一対の種子収容空間２，２を備えた例を示したが、一つだけ、あるいは三つ以上の種子収容空間２を備えるよう構成して実施してもよい。
【００８１】
（４）上記した実施例では、カバー部３を樹脂製シートによって構成した例を示したが、硬質の樹脂板、あるいは木材など各種の材料によって構成して実施してもよい。
【００８２】
（５）上記した実施例では、酸化処理を終えると、制御手段２５が酸化モードから乾燥モードに自動的に切り換わるように構成した例を示したが、酸化処理を終えると、制御手段２５を酸化モードから乾燥モードに人為操作によって切換えるように構成して実施してもよい。
【産業上の利用可能性】
【００８３】
本発明は、水稲用の種子以外の各種の種子を処理対象とする鉄粉被覆種子酸化装置に利用可能である。
【符号の説明】
【００８４】
２          種子収容空間
３          カバー部
７          棚部
７ａ        底板部
７ｃ        通気孔
１０        水蒸気発生装置
１２        換気扇
１３，１５  換気口
２５        制御手段
３７        酸化時間設定手段
３８        乾燥時間設定手段
Ａ          種子
ＴＳ        設定酸化時間
ＴＫ        設定乾燥時間
【図１】
2014135933.tif 000003
【図２】
2014135933.tif 000004
【図３】
2014135933.tif 000005
【図４】
2014135933.tif 000006
【図５】
2014135933.tif 000007
【図６】
2014135933.tif 000008
【図７】
2014135933.tif 000009
【図８】
2014135933.tif 000010
【図９】
2014135933.tif 000011
【図１０】
2014135933.tif 000012